(57)【要約】【課題】合成樹脂板を使用して胴台の前面板及び背面板の厚さを薄くすると共に、前板と背板との間に緩衝層を内蔵させることにより、軽くて着心地の良い、かつ外部の衝撃、振動及び波長を十分に吸収することを特徴とする剣道用の胴台を提供する。【解決手段】剣道時に剣道者を保護するために剣道者が着用する防具のうち、胴を構成する剣道用の胴台において、胴台の前板を形成し、合成樹脂から形成される前板と、前記胴台の背板を形成し、合成樹脂から形成される背板と、前記前板と背板との間に位置し、前記前板と背板との間に接着剤を塗った後、圧縮プレス機でしっかりと接着させて一体に加工される緩衝層と、を備える。【選択図】図３
2007520251.tif 000002
【特許請求の範囲】
【請求項１】
剣道の試合や練習時に剣道者を保護するために着用する胴の部分である、剣道防具の胴台において、胴台は次のものから構成される。即ち
合成樹脂製で、胴台の前表面となる前板（４１）と、
合成樹脂製で、前記胴台の背板となる背板（４２）と、
前記前板（４１）と背板（４２）との間に挿入される緩衝層５０で、それは、前記前板（４１）と背板（４２）との間に接着剤でコートされた後、圧縮プレス機によってしっかりと接着させるように一体的に加工される緩衝層（５０）と、を備えることを特徴とする剣道防具の胴台。
【請求項２】
前記緩衝層（５０）が、縦方向に切開されて形成され、前記前板（４１）に付着される第１緩衝層（５１）と、
格子状に切開されて形成され、前記第１緩衝層（５１）に付着される第２緩衝層（５２）と、
縦方向に切開されて一定間隔で穴が形成され、前記背板（４２）に付着される第３緩衝層（５３）と、を備えることを特徴とする請求項１記載の剣道防具の胴台。
【請求項３】
前記緩衝層（５０）をなす緩衝材が、発砲フォームシートの材質からなっており、低密度ポリエチレン（ＬＤＰＥ）、エチレン酢酸ビニル共重合樹脂（ＥＶＡ）、ポリスチレン（ＰＳ）、ポリプロピレン（ＰＰ）の中から選択された何れか一つで作られることを特徴とする請求項１または請求項２記載の剣道防具の胴台。
【請求項４】
前記前板（４１）及び背板（４２）の材質は、ポリエチレン（ＰＥ）、ポリプロピレン（ＰＰ）、ポリカーボネート（ＰＣ）、ポリエチレンテレフタレート（ＰＥＴ）、ポリアミド（ＰＡ；ナイロン）の中から選択された、何れか一つで作られることを特徴とする請求項３記載の剣道防具の胴台。
【請求項５】
前記前板（４１）は、緩衝層（５０）と接着される内面に各種文様、絵及び色を使用して印刷された印刷層（６０）が形成されたことを特徴とする請求項３記載の剣道防具
の胴台。
【請求項６】
前記前板（４１）、背板（４２）及び緩衝層（５０）から構成された胴台の端は、全厚より薄く形成され、穴を有し、革材を貼り付けて返し縫することにより、革材が胴台の表面からはみ出させないように胴台の端に皮材を押し込んで縫われることを特徴とする請求項１または請求項２記載の剣道防具の胴台。
【発明の詳細な説明】
【技術分野】
【０００１】
本発明は、剣道防具の胴台に係り、さらに具体的には、剣道の試合または練習の時に剣道者の胸及び胴を保護するための剣道用防具の胴台に関する。
【背景技術】
【０００２】
一般に、剣道用の防具は、頭及び顔を保護する“面”、手首を保護する“小手”、胸及び胴を保護する“胴”、ウェストやヒップの周りに付ける“たれ”から成る。このような剣道用の防具は、剣道の試合または練習の時に剣道者を負傷から保護するために使用されるが、特に“ものうち”（即ち、竹刀による撃刺部位、例えば心臓や手首や首部）及び股間を保護するようになっている。
【０００３】
胸及び胴を保護する“胴台”は、腹部の硬い貝殻状の部分である胴台と、胸の位置の布や革からなる部分である“胴淵”とに区分される。この時、胴台は、竹製の胴台、ファイバー製の胴台、合成樹脂製の胴台に大別される。
【０００４】
竹製の胴台は、伝統的な製造方法によって製造される。図１に示すように、竹片２１、２２、２３、２４が連結される。連結された竹片は、革で被われ、次に、それに黒いコーティング液体を塗って固定させる。このような竹製の胴台１０’は、竹刀の衝撃を非常に効率よく吸収するが、製品が非常に高価であり、一般に頻繁な衝撃及び振動によって革と竹とが分離するという破損があり、湿気に弱いので保持が難しいという幾つかの問題点がある。参考までに、胴台１０’の連結された竹片２１、２２、２３、２４の構造を明確に示すために、胴台の外面に付着された革は、図１に図示していない。
【０００５】
また、図２に示すように、竹製の胴台よりも安価な合成樹脂製の胴台やファイバー製の胴台が広く使用されている。合成樹脂製の胴台１０’は、合成樹脂の射出加工によって作ることは容易である。しかしながら、合成樹脂製の胴台も、合成樹脂板３０が厚いため重量が重いという点、また竹刀で打撃した時に発生する衝撃や振動を効果的に吸収または減少させることができないのでプレーヤーの体に衝撃が加わるという点、プラスチック部の前面にペイントされた色や絵が容易に剥がれるという点など幾つかの問題がある。
【０００６】
一方、前記問題点を解決するために、実用新案文献１“剣道衣の胸部保護板”が公開されている。実用新案文献１において、胴台は合成樹脂で成形され、角は、安全性と耐久性を良くするようにクッション力の良い合成皮革の締結ひもで結んである。更に、胸保護板は、容易に製造されるように製造コストを低減させることができる。
【０００７】
しかしながら、この胸保護板も、重量が重い点、竹刀の打撃された時に発生する衝撃や振動を十分に吸収または減少させることができないため、人体に衝撃が加わるという点など幾つかの問題がある。
【特許文献１】韓国実用新案登録第１３７１９０号公報
【発明の開示】
【発明が解決しようとする課題】
【０００８】
本発明は、前記問題点を解決するためになされたものであって、その目的は、合成樹脂製の薄い板を有し、前部と後部に備え付けられ、前板と背板の間には緩衝層が設けられている剣道防具の胴台を提供するもので、これによって、軽量で外的な衝撃や振動を完全に吸収する気持ち良い着心地を提供することである。
【０００９】
本発明の他の目的は、前板と背板との間に緩衝層が含まれ、第１緩衝層は縦方向、第２緩衝層は格子状にそれぞれ切開され、第３緩衝層は縦方向に切開すると共に穴を形成させる剣道防具の胴台を提供することであって、このことによって従来の竹製胴台やプラスチック製胴台に比べてさらに効果的に衝撃や振動を吸収および緩和させて、衝撃や振動の遮断を提供することである。
【００１０】
本発明のさらに他の目的は、前板の内面に種々の文様、絵及び/又は色などを付けたりスクリーン印刷するために、不透明な合成樹脂でできた従来の胴台とは違って、透明または半透明の合成樹脂でできている剣道防具の胴台を提供するものであって、これによって竹刀の衝撃による種々の文様、絵及び/又は色の剥がれや損傷を防ぐことができるようにするものである。
【課題を解決するための手段】
【００１１】
本発明の剣道防具の胴台は、発砲フォームシートである緩衝層が前板と背板の間に挿入されている３層構造である。よって本発明の剣道防具の胴台は、竹製胴台よりも完全に衝撃や振動を吸収・緩和し、優れた遮断力と薄いので良い着心地を提供し、そして安価である。
【００１２】
本発明による胴台は、外的な衝撃や振動を完全に吸収できるように、外面から見て、前板、緩衝層、背板の順に形成されている。
【００１３】
前記前板は、必要に応じて単層構造、二層構造などに調整でき、前板及び背板は、ポリエチレン（ＰＥ、特に、ＨＤＰＥ）、ポリプロピレン（ＰＰ）、ポリカーボネート（ＰＣ）、ポリエチレンテレフタレート（ＰＥＴ）、ポリアミド（ＰＡと、ナイロン）の中から選択された、何れか一つで製作する。
【００１４】
竹刀による外的な衝撃や振動をより完全に吸収・緩和をするために、また、外的な衝撃や振動に対する遮蔽力を改善するために、緩衝層は発砲フォームシートで作成し、縦方向に切られた第１緩衝層、格子状に切られた第２緩衝層、縦方向に切られると共に一定の間隔で穴を有する第３緩衝層から成っている。ここで、緩衝層は、必要に応じて単層構造、又は二層構造、又は三層構造である。更に、それぞれの緩衝層の切開方向や穴の形成は変化される可能性がある。緩衝層の発砲フォームシートは、低密度ポリエチレン（ＬＤＰＥ）、エチレン酢酸ビニル共重合樹脂（ＥＶＡ）、ポリスチレン（ＰＳ）、ポリプロピレン（ＰＰ）の中から選択された、何れか一つで作成する。
【００１５】
本発明の剣道防具の胴台の製造工程を、以下に記載する。
【００１６】
本発明の剣道防具の胴台の製造工程は次のステップから成る。即ち、合成樹脂製の透明、半透明または不透明の平板パネルを、前板及び背板状に、裁断プレス機によって裁断する。
（端に皮を付けて、胴台の上部に胴淵を付けるために）前板と背板に穴をあける。前板及び背板を丸い曲面にするために、真空圧縮成形機の金型に入れて前板と背板を押し出す。
そして、透明または半透明の合成樹脂製の前板及び背板の内表面に種々の絵や文様などをスクリーン印刷する。それぞれの緩衝層は裁断機に入れられ、縦方向、又は格子状、又は縦方向に切開すると共に穴や文様などに裁断される。その後、緩衝層は接着剤は塗られ、前板と背板との間に入れられ、圧縮プレス機でしっかりと接着させ、加工される。
【発明の効果】
【００１７】
上述のように、本発明の剣道防具の胴台は、合成樹脂製の成型物なので、伝統的な方法での竹片を繋ぎ合わせて作られる手作り製でないので、低価格であり、竹刀の突きで生じる衝撃や振動を効果的に吸収・減少させることが出来る。さらに本発明は、竹製の板の代わりに合成樹脂製の薄い板を使うもので、軽量で気持ちよい着心地を提供する。更に、緩衝層は、縦に切られている第一緩衝層、格子形に切られた第二緩衝層、そして縦に切られて外的衝撃と振動を完全に吸収するように一定間隔で作られた穴がある第三緩衝層を有しているので、本発明は完全に衝撃を減少させることが出来て、衝撃に対する優れた遮蔽を提供する。また、種々の文様、絵や色の印刷層が、透明または半透明な前板の内面に接着されるかスクリーン印刷され、本発明による剣道防具の胴台は、ペイントや絵が剥がれないきれいな体裁を保つことが出来る。
【発明を実施するための最良の形態】
【００１８】
添付図面を参照して、本発明の好ましい実施例について詳細に説明する。
【００１９】
図３は剣道防具の胴台の斜視図であり、図４は胴台の分解斜視図である。本発明の胴台１０は、前板４１、緩衝層５０及び背板４２から構成される。
【００２０】
図５は、本発明に係る剣道防具の胴台に一定の文様をスクリーン印刷した実施例を示す斜視図である。  透明または半透明の前板４１の内表面で、緩衝層５０と接着する部分に、印刷層６０が形成される。したがって、種々の文様や絵や色がスクリーン印刷され、透明又は半透明の前板４１を通して見える。種々の文様などがスクリーン印刷された印刷層６０は保護され、これによって、竹刀の打撃にも拘わらず前板４１の内面にペイント又は印刷された文様や絵が剥がれない。
【００２１】
図６及び図７は、本発明の好ましい実施例に係る緩衝層の構造を示す図である。図６及び図７を参照して、剣道防具の胴台１０の緩衝層５０は、第１緩衝層５１、第２緩衝層５２及び第３緩衝層５３から構成されうる。この時、第１緩衝層５１は縦方向に切られ、第２緩衝層５２は格子状に切られ、第３緩衝層５３は縦方向に切られると共に一定間隔で穴が付けられる。その結果、竹製やプラスチック製の従来の胴台に比べて一層完全に衝撃や振動が吸収・緩和され、遮蔽力を有することとなる。
【００２２】
一方、図７を参照して、本発明に係る剣道防具の胴台１０では、胴台１０の前面となる合成樹脂製の前板４１と、胴台１０の背面となる合成樹脂製の背板４２との間に、緩衝層５０が接着剤でコートされている。（あるいは又、前板４１及び背板４２を接着剤でコートしてもよい。）次に、緩衝層５０は、圧縮プレス機でしっかりと接着させ、前板と背板を一体的に加工される。緩衝層５０は、一体化した発砲フォームシートであるか、別々の構造の三層を有しても良い。前板４１が透明または半透明であり、内面に多様な文様がスクリーン印刷された印刷層６０が前板４１の内表面に装着され、美的効果が増大される。
【００２３】
図８は、本発明に係る剣道用の胴台を使用して防具の甲を構成した形態を示す図面であり、図９は、本発明に係る剣道用の胴台の枠を形成する好ましい実施例を説明するための図面である。
【００２４】
図８及び図９を参照して、本発明に係る剣道防具の胴台１０は、図８に示すように、胴淵９０と連結された胴１００を形作る。この時、通常の胴台では、広く用いられているのであるが、竹片又は合成樹脂製の板の端（主要部分）に皮材（又は、布）が付けられ、竹片又は合成樹脂製の板に手製で穴が空けられる。次に、竹片の結合力を増大させるため、そして美しい外観の板となるように、それらは革ひもで結ばれる（あるいは、縫われる）。
また、前板４１と背板４２と緩衝層５０から成る本発明の胴台１０は、胴台１０の端に革材または布を付けることによって美しい外観を提供できる。
【００２５】
一方、竹又は合成樹脂性の従来の胴台は、剣道プレーヤーが着用する過程で枠の革材または布が容易に剥がれる点、革材と胴台との間に発生する段差によって、端部の表面が滑らかではない点で問題がある。上述の問題を解決するために、図９に示すように、本発明による胴台１０は、胴台１０の端に段差を作った。即ち、前板４１と背板４２と緩衝層５０から成る胴台１０の端は、胴台１０の全厚さより薄くし、穴を付ける。胴台１０の端には、革材７０が付けられ、その端は、胴台１０の端に付けられる革７０が胴台の表面からはみ出さないように、革製ひも８０又は繊維製の糸などで縫われる。
【００２６】
胴台１０が、前板４１、背板４２及び緩衝層５０を真空成形して形成される時、胴台の端は、一般に使われる革材または布と同じ薄さにする。
【００２７】
本発明の好ましい実施例に係る剣道防具の胴台１０は、前板４１及び背板４２を薄く成形する時に発生する垂れや歪みを防止できる。また、本発明に係る剣道防具の胴台１０は、胴台１０の全面が滑らかで丸みを付けて処理されるので、気持ちよい着心地、剣道プレー中の安定感、美しい外観を提供できる。
【００２８】
本発明は、特定の実施例を参照して説明されるが、実施例によって限定されるものではなく、添付の請求によってのみ限定される。当然のことながら、当業者は、本発明の技術的思想を逸脱しない範囲内で多様な置換、変形及び変更が可能である。
【図面の簡単な説明】
【００２９】
【図１】従来の竹で製作された剣道用の胴台を示す斜視図である。
【図２】従来の単一の合成樹脂で製作された剣道用の胴台を示す斜視図である。
【図３】本発明に係る剣道用の胴台を示す斜視図である。
【図４】本発明に係る剣道用の胴台を示す分解斜視図である。
【図５】本発明に係る剣道用の胴台の前板にスクリーン印刷によって文様を形成する一例を説明するための図面である。
【図６】本発明に係る剣道用の胴台で緩衝層を構成する好ましい実施例を説明するための図面である。
【図７】図６のように形成された緩衝層を適用した剣道用の胴台の断面を示す断面図である。
【図８】本発明に係る剣道用の胴台を使用して防具の甲を構成した形態を示す図面である。
【図９】本発明に係る剣道用の胴台の枠を形成する好ましい実施例を説明するための図面である。
【符号の説明】
【００３０】
１０、１０’  胴台
２１、２２、２３、２４  竹片 
３０  合成樹脂板  
４１  前板
４２  背板
５０    緩衝層
５１  第１緩衝層
５２  第２緩衝層
５３  第３緩衝層
６０  印刷層
【図１】
2007520251.tif 000003
【図２】
2007520251.tif 000004
【図３】
2007520251.tif 000005
【図４】
2007520251.tif 000006
【図５】
2007520251.tif 000007
【図６】
2007520251.tif 000008
【図７】
2007520251.tif 000009
【図８】
2007520251.tif 000010
【図９】
2007520251.tif 000011
【国際調査報告】
2007520251.tif 000012